Podtech/llm-jp-corpus-v4-ja_patent huggingface dataset:
(57)【要約】
【課題】本考案使用者の鍵の美観性を高め、他の鍵との識別を容易なものとする。
また、様々な意匠に対応する発展性および簡単な構造による生産性の向上を容易なものとする。
【解決手段】加工の容易な革又は人工皮革１を鍵のヘッド部を包み込む形状に裁断し、中央部で二つ折りにし、両側部を糸４ａおよび４ｂで縫い合わせることにより鍵のヘッド部が挿入可能な空間を形成するキーアクセサリー本体において、前記本体底部の開口部から鍵５のヘッド部を挿入することにより、他の鍵との識別を容易とし、より心地よい質感および外観の提供を可能とする。
また、前記本体正面部に組み合わせた金属性プレート３の意匠を多様化することにより、様々な需要に応じた発展および生産を容易に可能とする構造を提供する。
【選択図】図１
0003100622.tif 000002
【実用新案登録請求の範囲】
【請求項１】
鍵のヘッド部を包み込む形状に裁断した革又は人工皮革を中央部で二つ折りにし両側部を縫い合わせた本体の正面部に、金属性プレートを嵌合してなるキーアクセサリー。
【考案の詳細な説明】
【技術分野】
【０００１】  本考案は、革又は人工皮革および金属性プレートからなるキーアクセサリーに関する。
【背景技術】
【０００２】  従来の鍵につけるアクセサリーは、合成樹脂材などを鍵のヘッド部に被せることにより鍵の耐久性強化を得られる利点がある。【０００３】  しかしながら、鍵は本来より強度が高く、使用者の求める美観性および様々な意匠に対して容易に対応するための発展性に乏しいなどの点で不利がある。
【特許文献１】特開２００１−３０３８１２
【特許文献２】特開平８−２８１０６
【考案の開示】
【考案が解決しようとする課題】
【０００４】  本考案使用者の鍵の美観性を高め、他の鍵との識別を容易なものとする。
また、様々な意匠に対応する発展性および生産性の向上を容易なものとする。
【課題を解決するための手段】
【０００５】  本考案は、加工の容易な革又は人工皮革を鍵のヘッド部を包み込む形状に裁断し、中央部で二つ折りにし、両側部を縫い合わせることにより鍵のヘッド部が挿入可能な空間を形成するキーアクセサリー本体において、前記本体底部の開口部から鍵のヘッド部を挿入することにより、他の鍵との識別を容易とし、より心地よい質感および外観の提供を可能とする。
また、前記本体正面部に様々な意匠による多様化を目的とした金属性プレートを組み合わせることにより、需要に応じた発展および生産を容易に可能とする構造を提供する。
【考案の効果】
【０００６】  本考案に係るキーアクセサリーは、加工の容易な革又は人工皮革からなる本体に様々な意匠による多様化を容易とする金属性プレートを組み合わせることにより、生産性、発展性および実用性にも優れた構造である。
【考案を実施するための最良の形態】
【０００７】  図２に示すように、鍵のヘッド部を包み込む形状に裁断した革又は人工皮革１に鍵穴用の穴２ａおよび２ｂを開口し、金属性プレート３を嵌合する。
次に、図３に示すように、革又は人工皮革１の中央部で二つ折りにし両側部を糸４ａおよび４ｂで縫い合わせることにより、鍵のヘッド部が挿入可能な空間が形成される。
【実施例】
【０００８】  図１に示すように、本考案に係るキーアクセサリー底部の開口部から鍵５のヘッド部を挿入することにより、使用者の鍵５と他の鍵との識別を容易にすることができ、外観および質感においてより心地よい印象を得ることができる。
また、金属性プレート３の意匠を多様化することにより、様々な需要に応じた発展および生産を容易に可能とすることができる。
【図面の簡単な説明】
【０００９】
【図１】  本考案に係るキーアクセサリーの正面図である。
【図２】  本考案に係るキーアクセサリーの革又は人工皮革の裁断図である。
【図３】  本考案に係るキーアクセサリーの製造における工程図である。
【符号の説明】
【００１０】１            ・・・革又は人工皮革
２ａおよび２  ・・・穴
３            ・・・金属性プレート
４ａおよび４ｂ・・・糸
５            ・・・鍵
【図１】
0003100622.tif 000003
【図２】
0003100622.tif 000004
【図３】
0003100622.tif 000005
(57)【要約】
【課題】様々な方法で歯ブラシを持つ時に、痛くなく、少ない力で楽にもつ事ができ、刷毛（１）の向きを容易に調整できる歯ブラシを提供する。
【解決手段】把柄部（４）の断面を円形にして、把柄部（４）の全体の形状を真っすぐな棒状とする。
【選択図】図１
0003100625.tif 000002
【実用新案登録請求の範囲】
【請求項１】
把柄部（４）が円柱棒状の歯ブラシ
【考案の詳細な説明】
【技術分野】
【０００１】本考案は、把柄部（４）の形状を円柱状とした歯ブラシに関するものである。
【背景技術】
【０００２】従来の歯ブラシは、掌握状（パームグリップ）で歯ブラシを持つことに重点を置いていたため、把柄部（４）の断面の形状が、手掌に合うように不規則な形の物が多かった。
【考案の開示】
【考案が解決しようとする課題】
【０００３】しかし、近年は、執筆状（ペングリップ）で歯ブラシを持つことが推奨される様になってきたが、特にこの方法で今までの歯ブラシを持つと、以下の様な欠点があった。
（イ）口腔内で歯ブラシの刷毛部（１）の毛先の角度、向きを微調整するのが難しい。
（ロ）把柄部（４）の角の部分が指や手掌に当たり痛くなる。
（ハ）把柄部（４）を指で固定する時不安定になるため、余分な労力が必要になる。
本考案は、これらの欠点を取り除くためになされたものである。
【課題を解決するための手段】
【０００４】歯ブラシ把柄部（４）の断面を円形として、つまり全体の形状を真っすぐな円柱棒状にする。
【考案の効果】
【０００５】特に執筆状で歯ブラシを持つ時、把柄部（４）の断面が円形だと、凸部がないため痛くない。また、指で固定するときも、持ちやすく安定して、疲れにくい。さらに、把柄部（４）を指上で転がすような感じで、刷毛（１）の毛先の向きを細かく変えることが簡単なので、不規則な形をした歯の様々な面も簡易に磨ける。
【考案を実施するための最良の形態】
【０００６】把柄部（４）の断面は全ての角、凸部を取り、円形とする。また、把柄部（４）全体の形はまっすぐな円柱棒状とする。
【図面の簡単な説明】
【図１】本考案の斜視図である。
【図２】本考案の正面図である。
【図３】本考案の平面図である。
【図４】本考案の把柄部断面図である。
【符号の説明】
１  刷毛    ２  頭部    ３  頚部    ４  把柄部
【図１】
0003100625.tif 000003
【図２】
0003100625.tif 000004
【図３】
0003100625.tif 000005
【図４】
0003100625.tif 000006
(57)【要約】      （修正有）【課題】湯気で蓋が柔かくならないようにするために蓋の内側に貼りつけられる樹脂フィルムの代替品として、紙にシリコンを含浸させた保護紙を用いることで、分別の手間、焼却時の公害問題、焼却時の焼却炉の損傷問題を解決する。【解決手段】紙にシリコンを含浸させた保護紙３をべんとう箱１の蓋２の内側に貼りつける。このようにすると、弁当の中味から蒸発した湯気が保護紙３に付着し、蓋２を保護すると共に保護紙３は紙のため、焼却処分しても問題が発生しない。【選択図】図１
0003100668.tif 000002
【実用新案登録請求の範囲】
【請求項１】
紙にシリコンを含浸させた保護紙を蓋の内側に配置して成る紙製食品容器。
【請求項２】
保護紙を蓋の内面に貼り付けて成る請求項１に記載の紙製食品容器。
【請求項３】
保護紙を食品の上に被せ、その上に蓋を閉じるように構成して成る請求項１に記載の紙製食品容器。
【請求項４】
食品がべんとうから成ることを特徴とする請求項１〜３の何れか１項に記載の紙製食品容器。
【考案の詳細な説明】
【技術分野】
【０００１】
本考案は、紙製食品容器に関し、更に詳しくは、べんとうに代表される温かい食品を容れて販売する時に用いられる紙製の蓋付容器に関する。
【背景技術】
【０００２】
温かいごはんやおかずを容れて販売する紙製の蓋付容器とか、焼きそば、たこ焼き、肉まんじゅう等を容れる紙製の蓋付容器の場合、蓋を閉じておくとごはん等から上がる湯気で蓋が柔かくなり、体裁が悪くなる。そこで、従来の紙製の食品容器であって、温かい物を容れる場合には、蓋の内側にポリエチレン等の樹脂製のフィルムを張り合わせたり、フィルムを食品の上に載せたりすることにより蓋に湯気がしみ込んで柔かくなるのを防止している。
しかし、食品を食べ終った後の紙製の容器内には樹脂製のフィルムがそのまま残されていて、それがそのまま焼却ゴミとして廃棄されてしまうことから、焼却時に公害問題を発生したり、樹脂製のフィルムは高温を発生するため、焼却炉の損傷を招いたりすると云う問題がある。
また、例えば容器１ケに使用されるフィルムの樹脂量は僅かであるが、いまや駅弁に代表される紙製食品容器の数は膨大であることから、省資源の立場上、代替物の提案が望まれる。
【考案の開示】
【考案が解決しようとする課題】
【０００３】
本考案は、斯る点に鑑みて提供されるものであって、その目的は、蓋を湯気から守る保護紙を紙製とすることによって、容器と分別せずに廃棄処分に供することができるようにすることである。
【課題を解決するための手段】
【０００４】
上記目的を達成するため、請求項１に記載の考案においては、紙製食品容器において、紙にシリコンを含浸させた保護紙を蓋の内側に配置して成ることを特徴とするものである。
【０００５】
更に、請求項２に記載の考案においては、請求項１に記載の考案において、保護紙を蓋の内面に貼り付けて成ることを特徴とするものである。
【０００６】
更に、請求項３に記載の考案においては、請求項１に記載の考案において、保護紙を食品の上に被せ、その上に蓋を閉じるように構成して成ることを特徴とするものである。
【０００７】
更に、請求項４に記載の考案においては、請求項１〜３の何れか１項に記載の考案において、食品がべんとうから成ることを特徴とするものである。
【考案の効果】
【０００８】
本考案は以上のように、べんとうに代表される紙製の蓋付の食品容器において、この蓋の内側にシリコンを含浸させた保護紙を従来の樹脂製フィルムの代替品として用いるようにした。
この結果、容器と一緒に廃棄処分することができるので、分別の手間が省け、更に紙製の容器と一緒に焼却しても公害問題や焼却炉の損傷と云った問題も惹起しない効果がある。また、石油資源の保護にも寄与できる。
保護紙は、紙にシリコンを含浸させたものであることから、湯気をこの保護紙が遮断して湯気が蓋に浸透するのを防ぐ。
【実施例】
【０００９】
図１は本考案に係る保護紙を蓋の内側に貼り付けた紙製のべんとう箱の説明図、図２は蓋の一部を断面した状態の説明図である。上記図１、２において、１は箱本体、２はこの箱本体１の後縁から続けて形成された紙製の蓋、３は蓋３の内側に貼り付けられた保護紙であって、この保護紙３は薄紙にシリコンを含浸させたもので、通称ワックスペーパーと称されているものである。４はごはん、５はおかずである。
上記本考案の実施例によると、保護紙３にはシリコンが含浸されているため、防水性を有し、これが蓋２に湯気が浸透するのを防ぐ。
なお、実施例の保護紙３は、蓋２の内側に貼り付けているが、必ずしも貼り付けずに、ごはん４やおかず５の上に載せておくようにしても良い。また、本考案の保護紙３は、蓋２の内側に用いるばかりでなく、おかず５が直接触れないように、おかず同士の間に挿入する仕切り等に用いることも出来る。
【図面の簡単な説明】
【００１０】
【図１】本考案に係る紙製べんとう箱の説明図。
【図２】蓋の一部の拡大断面図。
【符号の説明】
【００１１】
１  箱本体
２  蓋
３  保護紙
４  ごはん
５  おかず
【図１】
0003100668.tif 000003
【図２】
0003100668.tif 000004
【手続補正書】
【提出日】平成15年10月15日(2003.10.15)
【手続補正１】
【補正対象書類名】実用新案登録請求の範囲
【補正対象項目名】請求項１
【補正方法】変更
【補正の内容】
【請求項１】
紙にシリコンを含浸させた保護紙を紙製容器の蓋の内側と容器に容れられた食品との間全体に介在させて成る紙製食品容器。
【手続補正２】
【補正対象書類名】実用新案登録請求の範囲
【補正対象項目名】請求項３
【補正方法】変更
【補正の内容】
【請求項３】
保護紙を容器に容れられた食品の上全体に被せ、その上に蓋を閉じるように構成して成る請求項１に記載の紙製食品容器。
【手続補正３】
【補正対象書類名】明細書
【補正対象項目名】０００４
【補正方法】変更
【補正の内容】
【０００４】
上記目的を達成するため、請求項１に記載の考案においては、紙製食品容器において、紙にシリコンを含浸させた保護紙を紙製容器の蓋の内側と容器に容れられた食品との間全体に介在させて成ることを特徴とするものである。
【手続補正４】
【補正対象書類名】明細書
【補正対象項目名】０００６
【補正方法】変更
【補正の内容】
【０００６】
更に、請求項３に記載の考案においては、請求項１に記載の考案において、保護紙を容器に容れられた食品の上全体に被せ、その上に蓋を閉じるように構成して成ることを特徴とするものである。
(57)【要約】      （修正有）【課題】粘着テープの使い始めがどこかわかるようにする。【解決手段】粘着テープ２の円周上をスライドさせるカッター１に、テープの使いはじめを貼っておく部分３をつくり、テープを使いおわったら、カッターを時計回りに戻して次に使いはじめる部分を貼っておく。次に使うときはテープをはがしてカッターを反時計回りに回して使用する。【選択図】図１
0003100665.tif 000002
【実用新案登録請求の範囲】
【請求項１】
粘着テープのカッターの刃の反対側に使いはじめのテープをはっておく部分をつくり、そこからはがして粘着テープを使い、カットして使い終わったら、カッターを時計回りに回してテープの始めの部分を貼っておくカッターの付いた粘着テープ
【考案の詳細な説明】
【考案の詳細な発明】
【考案が解決しようとする課題】
【０００１】従来、粘着テープを使おうとしても使い始めがどこか分からなかったり、分かってもうまくはがれずテープが割れてしまったりして時間と資源を無駄にするという問題点を有していた。
【課題を解決するための手段】
【０００２】この無駄を省くために、テープの円周上をスライドさせるカッターに使い始めのテープを貼っておく部分をつくり、テープをカットして使い終わったらカッターを時計回りに戻して、次に使う部分を貼っておく。次に使うときは、テープをはがしてカッターを反時計回りに回して使用する。
【考案の効果】
【０００３】テープの使い始めがわかるので時間と資源の無駄がなくなる。
【図面の簡単な説明】
【図１】粘着テープとカッターの全体図である。
【図２】カッターの正面図である。
【図３】カッターの側面図である。
【符号の説明】
１  カッターの刃
２  粘着テープ
３  粘着テープの使い始めを貼る部分
【図１】
0003100665.tif 000003
【図２】
0003100665.tif 000004
【手続補正書】
【提出日】平成15年11月13日(2003.11.13)
【手続補正１】
【補正対象書類名】図面
【補正対象項目名】全図
【補正方法】変更
【補正の内容】
【図１】
0003100665.tif 000005
【図２】
0003100665.tif 000006
【図３】
0003100665.tif 000007
(57)【要約】      （修正有）【課題】吸水シート製のバスローブによって、家庭にて愛玩される動物が入浴後速やかに体毛を乾燥できるように補助することが出来る。【解決手段】ポリマーシート状部材１と液体漏出防止部材２を乾式不織布６にて内面、乾式不織布またはポリエチレンフィルム７にて外面を包入した吸水シートを動物の対面を覆うことが出来るように衣服様に成型し、その端部に動物胴体部締結のための可燃性軟性紙製の帯及びリボンを取り付け、動物の首周りの襟部分に当たる部分にマジックテープを配することによって密着性を高める。この吸水シート製バスローブを動物に密着させる形で着用させることにより、体毛に浸透した水分を吸収し、速やかに動物の体毛を乾燥することを補助する。【選択図】図１
0003100670.tif 000002
【実用新案登録請求の範囲】
【請求項１】
吸水力がある可燃性のポリマーシート状部材と、このシート状部材が吸収した液状物質の漏出を防止すべく、前記シート状部材と積層になるように可燃性のシート状液体漏出防止部材を組み合わせ、表面を乾式不織布、裏面をポリエチレンフィルム又は乾式不織布で包み端部及び動物のを首周りを封入密着又は接着剤により接着していることを特徴とする動物用バスローブ。
【考案の詳細な説明】
【技術分野】
【０００１】本考案は、吸水紙ポリマーシートを動物の容姿に合わせて成型した動物入浴後の体毛乾燥補助用途のバスローブに関する物である。
【背景技術】
【０００２】家庭にて愛玩される動物、例として小型室内犬を飼育する場合、室内で飼育するという条件から、定期的に入浴、洗浄して皮脂や汚れを洗い流す必要がある。入浴後、人間とは違い体毛が全身を覆う態様であることから、動物の体全体を乾燥させる必要がある。
【考案の開示】
【考案が解決しようとする課題】
【０００３】人間用のヘアドライヤーなどを使用して動物の体全体を乾燥しようとする場合、動物の体皮にかかる負担が大きい。また多くの場合動物はヘアドライヤーが発する温風や騒音を嫌う傾向が強く、飼育者によって行動を制限されながら乾燥時に鎮座し続けることは飼育者・動物双方にとって負担である。動物用衣服を着せる程度の作業にて動物の体毛を乾燥する時間を短縮することによって飼育者と動物両者の負担を軽減するものである。
【課題を解決するための手段】
【０００４】動物の容姿・サイズに合わせて吸水紙ポリマーシートを衣服様に成型し、動物用バスローブとして動物入浴後、乾燥補助目的で動物に着用させる。
首周りに襟巻き状の帯を設けることによって、動物の容姿及びサイズの個体差に対応することが可能であり、密着性が高い。
【考案の効果】
【０００５】動物の体毛は人間の毛髪に比べ乾燥しにくい特徴があり、季節によって著しい抜け毛が生じることがある。通常のタオル地のバスローブでは生地の目に動物の抜けた体毛が絡みつく場合もあり細菌繁殖の温床になりやすい。一回使用による使い捨てを可能にすることによって衛生的である。
【考案を実施するための最良の形態】
【０００６】吸水力がある可燃性のポリマーシート状部材と、このシート状部材が吸収した液状物質の漏出を防止すべく、前記シート状部材と積層になるように可燃性のシート状液体漏出防止部材を組み合わせ、表面を乾式不織布、裏面をポリエチレンフィルム又は乾式不織布で包み端部及び動物のを首周りを封入密着又は接着剤により接着する。
動物用衣服型に成型し、衣服の内側つまり動物の体表が接触する側を吸水面にし、反対の側にあたる外側に可燃性の軟性紙製の帯及びリボンまたはを配し、首周りの襟部にマジックテープを配することによって密着保護ならびに動物がバスローブを振り落とすことがないように締めることが出来る。
【実施例】
【０００７】以下、添付図面にしたって一実施例を説明する。
添付図１
１はポリマーシート状部材、２は液体漏出防止部材、６は乾式不織布  ７は乾式不織布またはポリエチレンフィルム
添付図２
３はポリマーシート状部材と液体漏出防止部材を乾式不織布又はポリエチレンフィルムで包入した吸水シート、４はバスローブを動物に密着させるための可燃性軟性紙製の帯及びリボン、５は首周りの襟部を密着固定させるためのマジックテープ。
添付図３
３はポリマーシート状部材と液体漏出防止部材を乾式不織布又はポリエチレンフィルムで包入した吸水シート、４はバスローブを動物に密着させるための可燃性軟性紙製の帯及びリボン、５は首周りの襟部を密着固定させるためのマジックテープ。
添付図４
３はポリマーシート状部材と液体漏出防止部材を乾式不織布又はポリエチレンフィルムで包入した吸水シート、４はバスローブを動物に密着させるための可燃性軟性紙製の帯及びリボン、５は首周りの襟部を密着固定させるためのマジックテープ。
添付図５
３はポリマーシート状部材と液体漏出防止部材を乾式不織布又はポリエチレンフィルムで包入した吸水シート、４はバスローブを動物に密着させるための可燃性軟性紙製の帯及びリボン。８は動物。
添付図６
３はポリマーシート状部材と液体漏出防止部材を乾式不織布又はポリエチレンフィルムで包入した吸水シート、４はバスローブを動物に密着させるための可燃性軟性紙製の帯及びリボン。８は動物。
【図面の簡単な説明】
【０００８】
【図１】本考案の一実施例に従う動物用使い捨てバスローブの構成を示した断面図である。
【図２】本考案の動物用使い捨てバスローブの一実施例を示す外面図である。
【図３】本考案の動物用使い捨てバスローブの一実施例を示す内面図である。
【図４】本考案の動物用使い捨てバスローブの一実施例を示す斜めから見た図である。
【図５】本考案の一実施例を示す着用例の正面図である。
【図６】本考案の一実施例を示す着用例の背面図である。
【符号の説明】
【０００９】１  ポリマーシート状部材
２  液体漏出防止部材
３  吸水シート
４  帯及びリボン
５  マジックテープ
６  乾式不織布
７  ポリエチレンフィルム又は乾式不織布
８  動物
【図１】
0003100670.tif 000003
【図２】
0003100670.tif 000004
【図３】
0003100670.tif 000005
【図４】
0003100670.tif 000006
【図５】
0003100670.tif 000007
【図６】
0003100670.tif 000008
(57)【要約】      （修正有）【課題】  犬の糞を採取者が立ったままの状態で採取し匂いを遮断できる。【解決手段】  糞を収納する容器の支点を筒状の先端から上方に移動させる事により筒の先端に硬質ゴム類を取り付け、ステッキ代わりに地面を突きながら移動、又はローラーを取り付け地面上を引きながら移動出来るようにした。筒状のパイプの中にワイヤーを通し、容器を上下させるので、立ったままの姿勢で処理できる。処理した後は、容器を上に引き上げ蓋で密閉する為、匂いを遮断出来る。【選択図】図５
0003100663.tif 000002
【実用新案登録請求の範囲】
【請求項１】
糞を容れる容器の支点をステッキの先端より上方にあげることにより、先端部に硬質ゴム等又はローラーを取り付け可能とし地面を突きながら又は引きながら移動するのを可能としたステッキ状糞取り器。
【請求項２】
糞を容れる容器に、ビニール袋等を装着し、容器をワイヤーによりワンタッチで地面と平行に落とし込み、糞を採取可能とした容器。
【請求項３】
匂いを遮断する為に容器の上蓋右半分を容器に固定し、左半分の蓋になる部分をステッキに固定し引き上げた状態で密閉できるようにした容器。
【考案の詳細な説明】
【考案の詳細な説明】
【産業上の利用分野】
【０００１】この実用新案は、犬の糞を採取者が立ったままの状態で採取し匂いを遮断して、採取後は、容器を上方に引き上げステッキの先端に硬質ゴム又はローラーを取り付け移動を容易にした、犬の糞取り器具である。
【背景技術】
【０００２】地上に落とした糞を、ビニール等で処理するか又は、棒状の先に容器などを取り付け持ち歩いていた。
【考案が解決しようとする課題】
【０００３】一般的に犬の糞を採取するのに要する時間は、犬によっても違うが相当な時間が必要と考えられる。その時、ステッキとして地面を突き、又は、キャスターとして地面を引く事が出来れば、老人、子供、女性にとっても負担が軽減される。又犬は１回の散歩途中で、何回にも分けて排便する時があるので、ビニール袋等を１回セットすることにより複数の排便に対応しなければならない。同時に容器を持ち歩く時間が永いので、その間匂いを遮断する必要がある。
【考案の効果】
【０００４】最近ペットブームにより犬等を飼育する人は、非常に増加している。そしてその犬の糞処理については、環境問題として多くの論議をよんでいる実態がある。本考案は、それらの問題を解決するものである。
【図１】
0003100663.tif 000003
【図２】
0003100663.tif 000004
【図３】
0003100663.tif 000005
【図４】
0003100663.tif 000006
【図５】
0003100663.tif 000007
【図６】
0003100663.tif 000008
【手続補正書】
【提出日】平成15年11月11日(2003.11.11)
【手続補正１】
【補正対象書類名】明細書
【補正対象項目名】全文
【補正方法】変更
【補正の内容】
【考案の詳細な説明】
【考案の詳細な説明】
【０００１】〔産業上の利用分野〕この実用新案は、犬の糞を採取者が立ったままの状態で採取し匂いを遮断して、採取後は、容器を上方に引き上げステッキの先端に硬質ゴム又はローラーを取り付け移動を容易にした、犬の糞取り器具である。
【０００２】〔従来の技術〕地上に落とした糞を、ビニール等で処理するか又は、棒状の先に容器などを取り付け持ち歩いていた。
【０００３】〔考案が解決しようとする課題〕一般的に犬の糞を採取するのに要する時間は、犬によっても違うが相当な時間が必要と考えられる。その時、ステッキとして地面を突き、又は、キャスターとして地面を引く事が出来れば、老人、子供、女性にとっても負担が軽減される。又犬は１回の散歩途中で、何回にも分けて排便する時があるので、ビニール袋等を１回セットすることにより複数の排便に対応しなければならない。同時に容器を持ち歩く時間が永いので、その間匂いを遮断する必要がある。
【０００４】〔考案の効果〕最近ペットブームにより犬等を飼育する人は、非常に増加している。そしてその犬の糞処理については、環境問題として多くの論議をよんでいる実態がある。
本考案は、それらの問題を解決するものである。
【図面の簡単な説明】「〔図１〕糞採取時の側面図」
「〔図２〕正面図」
「〔図３〕糞採取後、歩行時の側面図」
「〔図４〕正面図」
「〔図５〕糞採取後▲３▼容器が▲２▼ステッキに固定される時の拡大図」
「〔図６〕糞採取時の側面詳細図」
【符号の説明】
〔図６〕は、糞を採取する時▲２▼の先端▲１▼から多少上方に上がった支点▲９▼を軸に容器▲３▼が地面と平行に下りた状態を示す、すなわち▲２▼の中を通ったワイヤー▲５▼の止め具▲６▼が外れ▲３▼が採取可能な状態となる。糞▲１１▼を採取後▲３▼の容器を▲５▼と▲１０▼によって引き上げ▲６▼の止め具を▲２▼のステッキに固定する。▲３▼にセットされた▲７▼のビニール袋の中の糞▲１１▼は、▲３▼の下方に移動し、▲４▼、▲８▼の固定蓋により密閉され匂いが外に漏れない状態となる。又▲２▼の先端部▲１▼は、硬質ゴム又は、ローラーを取り付け地面を突き、又は地面上を引く事により移動を容易にしたものである。
0003100663.tif 000009
0003100663.tif 000010
0003100663.tif 000011
(57)【要約】
【課題】この考案は、経皮的冠動脈形成術を行う際に、冠動脈の狭窄病変に応じた、適切な長さのステントの留置を安全に行うための装置に関するものである。
【解決手段】冠動脈狭窄部に冠動脈形成術用のワイヤーを通過させた後に、ポリエチレン製のインナーチューブ（１）にレントゲン不透過のマーカー（２）をつけた冠動脈狭窄部貫通用カテーテルの先端からワイヤーを側溝（３）へ通し、カテーテルを冠動脈内の狭窄部まで誘導する。冠動脈造影上の狭窄病変部を、カテーテルのレントゲン不透過のマーカー部（２）に透視下にて合わせることで、実際の狭窄長を計測する。計測終了後カテーテルは抜去し、次に適切な長さのステントを挿入する。
【選択図】図１
0003100671.tif 000002
【実用新案登録請求の範囲】
【請求項１】
（イ）ポリエチレン製のインナーチューブ（１）に、先端から５ｍｍ、１５ｍｍ、２０ｍｍ、２５ｍｍ、３０ｍｍ、３５ｍｍ、４０ｍｍの部位に０．７ｍｍ大のレントゲン不透過（レントゲンに写る）のプラチナ９０％／イリジウム１０％製マーカー（２）をつける。
（ロ）ポリアミド製チューブの中にインナーチューブ（イ）を入れ、先端から側溝（３）に経皮的冠動脈形成術用のワイヤーが通過できる穴をあける。
以上の如く構成された、経皮的冠動脈形成術時にステントを留置する際に、冠動脈に挿入して透視下で狭窄の長さを測るための冠動脈狭窄部貫通用カテーテルである。
【考案の詳細な説明】
【考案の詳細な説明】
【技術分野】
【０００１】  経皮的冠動脈形成術とは、狭心症または急性心筋梗塞症の患者に対して、疾患の原因である狭くなった冠動脈の中に、ワイヤーを介してバルーンやステントを挿入し、血管の内側より狭窄部の拡張を行う治療法である。このステントは冠動脈狭窄部の形態、長さに応じて選択し、留置することが安全に手技を進める上で重要である。この考案は経皮的冠動脈形成術において適切なステントの長さを決定するための冠動脈狭窄病変長計測が可能なカテーテル装置に関するものである。
【背景技術】
【０００２】  従来の方法では、冠動脈にステントを留置する場合に、ステントのサイズの選択は、冠動脈造影を見た上での術者の経験または感覚による所謂、目測で決められていた。したがって、病変部に対して留置したステントが短すぎたり、長かったりする不都合が生じることが発生しやすく、仮にステントが短すぎれば追加のステントが必要になり、また長すぎた場合、将来ステント内の再狭窄の原因になる危険性があった。
【考案が解決しようとする課題】
【０００３】  本考案は、経皮的冠動脈形成術において適切な長さのステントを留置するために考案された、冠動脈病変長を計測するものである。
【課題を解決するための手段】
【０００４】  その構成を説明すると、
（イ）ポリエチレン製のインナーチューブ（１）に、先端から５ｍｍ、１５ｍｍ、２０ｍｍ、２５ｍｍ、３０ｍｍ、３５ｍｍ、４０ｍｍの部位に０．７ｍｍ大のレントゲン不透過（レントゲンに写る）のプラチナ９０％／イリジウム１０％製マーカー（２）をつける。
（ロ）ポリアミド製チューブの中にインナーチューブ（イ）を入れ、先端から側溝（３）に経皮的冠動脈形成術用のワイヤーが通過できる穴をあける。
以上のように装置する。
【考案を実施するための最良の形態】
【０００５】  次に本考案の実施の形態を述べると、まず冠動脈狭窄部に冠動脈形成術用のワイヤーを通過させた後に、インナーチューブ（１）にレントゲン不透過のマーカー（２）をつけた冠動脈狭窄部貫通用カテーテルを、その先端から側溝（３）へワイヤーを通し滑らして行くことで、カテーテルを冠動脈内の狭窄部まで誘導する。そして、冠動脈造影上の狭窄病変部をカテーテルのレントゲン不透過のマーカー（２）に透視下にて合わせることで、実際の狭窄長を計測する。計測終了後カテーテルは抜去し、次に適切なサイズのステントを挿入する。この、レントゲン不透過のマーカー（２）のついた冠動脈狭窄部貫通用カテーテルを使用することで、病変部に対してステントが短すぎたり、長かったりする不都合が解消されるため安全であり、また追加のステントを必要とすることもなくなるため、コスト面でも有用である。
【考案の効果】
【０００６】  したがって、本発明により経皮的冠動脈形成術において、安全に適切な長さのステントの留置が可能となる。
【図面の簡単な説明】
【図１】  本考案の図
【図２】  本考案の拡大図
【符号の説明】
１はポリエチレン製のインナーチューブ
２はレントゲン不透過のプラチナ９０％／イリジウム製マーカー
３ワイヤー通過のための側溝
【図１】
0003100671.tif 000003
【図２】
0003100671.tif 000004
(57)【要約】
【課題】  香炉蓋の本来のデザインを崩すことなく、香炉から係脱自在を保ったまま、容易に開閉させ、且つ、香炉上で開いた状態を保持させることにより、付着した線香のタールが他に付着することを防止した。
【解決の手段】  本考案は香炉蓋２にコの字形のストッパー（係止機構）３を設け、香炉蓋２を後方へ開けることにより、ストッパー３が香炉１の壁１ａに回転しながら噛込み、香炉蓋２を開いた状態で停止させることができるほか、開閉、いずれの位置でも香炉蓋２を容易に係脱できるようにした。
【選択図】  図６
0003100673.tif 000002
【実用新案登録請求の範囲】
【請求項１】
香炉上部に設置される香炉蓋において、当該香炉蓋の後方に、同後方外側に開いたコの字、或はＵの字状の形状をした係止機構を設け、香炉のどちらか一辺の壁面上部に係止部が噛み込み、香炉蓋が開いた状態で停止できることを特徴とするストッパー付香炉蓋。
【考案の詳細な説明】
【技術分野】
【０００１】  本考案は香炉蓋を容易に係脱できるのみならず、安全、且つ容易に開閉させ、更に香炉の上において開いた状態で停止させ、且つ、閉じさせる香炉である。
【背景技術】
【０００２】  従来、香炉蓋は線香から発せられる煙の煤やタール分を減少させる効果と、物が落ちて直接火の点いた線香に触れるのを防ぐ役目がある。よって、香炉蓋は単に香炉の上に被せるだけのものであり、線香を置く際、蓋を別の場所に置くか、線香を持った手とは別の手で持っているしかなった。
【考案の開示】
【考案が解決しようする課題】
【０００３】  背景技術に示したように、香炉蓋は直接煙にさらされるため、煤やタールが付着する。従来の香炉蓋では、当該蓋を香炉が置かれている経机の上に置くか、手で持っているしかなかったため、汚れが手や別の場所に付着しやすく、更に汚れが落ち難かった。こうした欠点を解決しようとするものである。
【課題を解決するための手段】
【０００４】  香炉上部に設置される香炉蓋において、当該香炉蓋の後方に、同後方外側に開いたコの字、或はＵの字状の形状をした係止機構を設け、香炉のどちらか一辺の壁面上部に当該係止部が噛み込み、香炉蓋が開いた状態で停止できることと、開、閉、いずれの状態であっても容易に係脱自在にすることにより問題点を解決している。
【考案の効果】
【０００５】  前述のように香炉蓋を香炉上にて開いた状態で停止できることにより、汚れが他に付着することなく、且つ、両手が使えることで、安全に火の点いた線香を香炉内に置くことができる。また、係脱自在な構造により、当該蓋を簡単に清掃できる。
【考案を実施するための最良の形態】
【０００６】  左右いずれかの指で香炉蓋に配設された前面ツマミを介し、当該蓋の後方に設けられたコの字状を形成したストッパー（係止機構）先端を支点として香炉の後方へ立てかけるように開き、香炉の壁に当該ストッパーのコの字の一端が掛かることで蓋を停止させ、香炉上部が完全に開くことができ、尚且つ、ツマミや香炉蓋全体を持ち上げることで、当該蓋を香炉から容易に係脱すことができる。
【実施例】
【０００７】  以下、本考案の実施例を図１から図９を参照して説明する。図１は、本考案に係るストッパー付香炉蓋の一実施例を示したもので、本考案のストッパー３は、蓋本体２の後方に取付けられており、当該蓋後方に開くコの字の形状を、蓋本体と連係して形成している。コの字の開口部の寸法を変えることにより、香炉壁１ａの厚みと関連して停止角度を設定できる。【０００８】  図３及び図４は、香炉１と香炉蓋２が通常使用される際の閉じられた状態を示し、図５においては、当該蓋２をツマミ２ａに指を掛けて後方へ開ける際、香炉壁１ａにストッパー３の先端３ａが接触し、そこを支点として図７に示すように右回りで開くようになる。図６では当該蓋２が全開状態を示し、ストッパー３の噛合部３ｂが香炉の壁１ａに噛合うように架かり、停止している状態を示している。また、閉じる場合は逆の動作となる。【０００９】  更に、図８では閉じた状態、図９では開いた状態であり、ストッパーは蓋が開いた際に香炉壁１ａに噛んでいる以外は開放されているので、閉じた状態でも、開いた状態でも、香炉１から当該蓋２を矢印方向に容易に係脱できる。
【図面の簡単な説明】
【００１０】
【図１】本考案の香炉蓋を示した正面図である。
【図２】本考案の香炉蓋を示した側面図である。
【図３】香炉蓋が閉じた状態で香炉に設置されている正面図である。
【図４】香炉蓋が閉じた状態で香炉に設置されている側面図である。
【図５】香炉蓋が閉じた状態の香炉壁とストッパーとの関係を示した断面図である。
【図６】香炉蓋が開いた状態の香炉壁とストッパーとの関係を示した断面図である。
【図７】（ａ）、（ｂ）、（ｃ）はそれぞれ香炉蓋が全開になるまでの状態を段階的に示した側面図である。
【図８】香炉蓋が閉じた状態から、矢印方向へ係脱できることを示した側面図である。
【図９】香炉蓋が開いた状態から、矢印方向へ係脱できることを示した側面図である。
【符号の説明】
【００１１】１    香炉
１ａ  香炉壁
２    香炉蓋
２ａ  ツマミ
３    ストッパー
３ａ  ストッパー先端部
３ｂ  ストッパー噛合部
【図１】
0003100673.tif 000003
【図２】
0003100673.tif 000004
【図３】
0003100673.tif 000005
【図４】
0003100673.tif 000006
【図５】
0003100673.tif 000007
【図６】
0003100673.tif 000008
【図７】
0003100673.tif 000009
【図８】
0003100673.tif 000010
【図９】
0003100673.tif 000011
(57)【要約】      （修正有）【課題】イチゴ果実入りミルクなどの飲料食品が、１本の飲料用食器で楽しめるようになり、角切り果実飲料や、果実入りグレープジュースなどの飲料水のカップ入りの商品が、飲料できるようになるストロースプーンの提供。【解決手段】ストローの先にスプーンの口入部を備えた、果実をつぶせるぐらいのかたさの素材でスプーンの取っ手部分をストローにした。あと飲料用容器のそこに残る液体も飲めるように、スプーンの部分に角度を付けて、ストローの先が容器のそこに近かづくようにした。【選択図】図２
0003100674.tif 000002
【実用新案登録請求の範囲】
【請求項１】
果実などをつぶせるぐらいのかたさの素材で出来ていて、スプーンの取っ手部分がストローになっているスプーン。
【考案の詳細な説明】
【考案の詳細な説明】
【考案の属する分野】
【０００１】  本考案は、コップなどの容器に入っている果実入りの飲み物などを飲んだりすくって食べたりする食器類に関する物である。
【背景技術】
【０００２】出店のかき氷を食べる時にやわらかいプラスチックの素材で、ストローの先が小さなスプーンになっているストローがあった。
【考案が解決しようとする課題】
【０００３】本考案の発案するにあたってのはいけいとしては、コンビニなどの飲料水で、果実入りのヨーグルトジュースや、生イチゴ果実入りミルクなどのメニューがあればいいと思った時。プラスチック製の容器に入っていて売ってあったとして、ではそれをどういうふうな食器で口に入れるのかを想像したところ、液体を飲むストローと果実をつぶしたり口にもってくるための通常のスプーンより少し長いものの２つが必要になるが、コンビニなどの食器は、便利でコストが安い事が問題であった。
【０００４】本考案は、このような問題を解決しようとするものであり、この考案によって、食器・飲料会社がうち出す商品メニューも広がっていき便利に、変ったメニューの飲料食品が楽しめるようになる。
【課題を解決するための手段】
【０００６】本考は、スプーンの機能とストローの機能を合体させて、しかもオートメーションで量産出来るような型と素材に考案したストロースプーにしたものである。
【考案を実施するための最良の形態】
【０００７】本考案のストロースプーンは、図２に示されるように、ストローの先の部分がスプーンの型をしておりスプーンの部分が従来のスプーンとちがって角度があり取っ手のストローの先がコップ等の容器の下面部の近い所にあるため、液体がのこさず飲めるようになっている。
【考案の効果】
【０００８】以上のように考案の請求項のストロースプーンがあれば、イチゴ果実入りミルクなどの飲料食品が、１本の飲料用食器で楽しめるようになり、角切り果実飲料や、果実入りグレープジュースなどの飲料水のカップ入りの商品が、飲料できるようになる。
【図面の簡単な説明】
【図１】本考案の利用例の外観図
【図２】本考案の外観図
【図１】
0003100674.tif 000003
【図２】
0003100674.tif 000004
(57)【要約】
【課題】  この考案は、人間の顔の変形量が定量的に把握出来る様にした検顔用鏡を開発・提供するものである。
【解決手段】  この課題を解決する為の手段として、鏡の表面中心部に取手と平行で、且つ、上下両端部を連結する1本の縦線を設け、且つ、該縦線を基準にして直交し、且つ、左右両端部を連結する複数の横線を中央部に設け、且つ、該縦線上の一端部に振り子用紐の係止部を設け、且つ、該係止部に所定長さを有する振り子の紐の一端を係止し、他端に錘を係止して設けた事を特徴とする検顔用手鏡から構成される。
【選択図】  図１
0003100676.tif 000002
【実用新案登録請求の範囲】
【請求項１】
化粧時等に使用する鏡（１ａ）において、該鏡（１ａ）の表面中心部に上下両端部を連結する1本の縦線（２）を設け、且つ、該縦線（２）を基準にして直交し、且つ、左右両端部を連結する複数の横線（３）を中央部に設け、且つ、該縦線上の一端部に振り子用紐（５）の係止部（４）を設け、且つ、該係止部（４）に所定長さ（Ｌ）を有する振り子の紐（５）の一端を係止し、他端に錘（６）を係止して設けた事を特徴とする検顔用鏡。
【請求項２】
鏡（１ａ）の中央部に設けた複数の横線（３）を、細線又は破線（３ａ）と所定間隔（Ｐ）毎に太線（３ｂ）で描き、焦点を合わせ易くする事で、鏡（１ａ）に描写される顔（Ｆ）の形状・位置・変形状態等をより鮮明に見易くした事を特徴とする請求項１記載の検顔用鏡。
【考案の詳細な説明】
【技術分野】
【０００１】
この考案は、化粧時等に使用する検顔用鏡に関するものである。
【背景技術】
【０００２】
本来、化粧時等に使用する鏡は、人間の身体のありのままの姿形を映し出すのが目的で、あるべき姿である基準に対して、どれ位変形しているか、又、ずれているかを見極める為のものではなかった。
【０００３】
従って、従来の鏡はありのままの姿をいかにして見易くするかが課題であって、その課題を解決する為の、種々の提案が出願されている。（例えば、特許文献１を参照。）
【特許文献１】実用新案公開平０７−０３９７１１
【０００４】
しかし、上記の従来技術では人間の顔の変形量は定量的に把握出来ない為、どこをどれだけ修正すれば良いかが判らなかった。
【考案の開示】
【考案が解決しようとする課題】
【０００５】
そこで、この考案は上記問題を解決する為、人間の顔の変形量が定量的に把握出来る様にした検顔用鏡を開発・提供するものである。
【課題を解決するための手段】
【０００６】
この課題を解決する為の手段として、鏡の表面中心部に取手と平行な1本の縦線を設け、且つ、該縦線に直交する複数の横線を設け、且つ、該縦線上の一端部に振り子用紐の固着部を設け、且つ、該固着部に所定長さを有する振り子の紐の一端を係止し、他端に錘を係止して設けたものである。
【考案の効果】
【０００７】
鏡の表面中心部に1本の縦線を設け、且つ、該縦線に直交する複数の横線を設け、且つ、該縦線上の一端部に振り子用紐の係止部を設け、且つ、該係止部に所定長さを有する振り子の紐の一端を係止し、他端に錘を係止して設ける事で、顔の変形又はズレ・傾き等を自覚する事が出来る。
【０００８】
更に、顔の変形又はズレ・傾き等を自覚する事でメイクや顔のマッサージ、普段の癖の意識付け等によりバランスのとれた顔に成る。
【考案を実施するための最良の形態】
【０００９】
そこで、この考案を実施する為の最良の形態としては、本考案を使用する事で自分の顔の変形度合を自覚し、且つ、その変形した顔を修正する為の用具が付属されれば最良であり、この付属用具については別途出願予定である。
【実施例１】
【００１０】
そこで、この考案の一実施例を図１〜図２に従って詳述すると、手鏡（１）の鏡（１ａ）の上面中心部に取手（１ｂ）と平行で、且つ、上下両端部を連結する1本の縦線（２）を設け、且つ、該縦線（２）を基準にして直交し、且つ、左右両端部を連結する複数の横線（３）を中央部に設け、且つ、該縦線上の一端部に振り子用紐（５）の係止部（４）を設け、且つ、該係止部（４）に所定長さ（Ｌ）を有する振り子の紐（５）の一端を係止し、他端に錘（６）を係止して設けた事を特徴とする検顔用手鏡から構成される。
【００１１】
又、鏡（１ａ）の中央部に設けた複数の横線（３）を、細線又は破線（３ａ）と所定間隔（Ｐ）毎に太線（３ｂ）で描き、焦点を合わせ易くする事で、鏡（１ａ）に描写される顔姿（Ｆ）の形状・位置・変形状態等をより鮮明に見易くした事を特徴とする検顔用手鏡
から構成される。
【００１２】
図２は、本来あるべき顔の中心線と実際の顔（Ｆ）の中心線（顔の傾き度合）の関係を表したものである。
【００１３】
次に、この考案の使用方法について具体的に説明すると、まず、最初に手鏡を手で持って真直ぐに立ち、手鏡（１）と顔の間を約２５〜３０ｃｍ離して、そのまま自分の顔（Ｆ）を見る。
【００１４】
そして、手鏡（１）の中心にある縦線部（２）と振り子の紐（５）が重なるように合わせ、更に、横線の太い線（３ｂ）の最上部を目の下部に合わせ、左右のバランスを確認する。
【００１５】
例えば、図３に示す様に、手鏡（１）の中心部の縦線（２）が、振り子の紐（５）と一致していない場合は、顔（Ｆ）がずれている事になる。又、図４に示す様に、手鏡（１）の中心部の縦線（２）が、振り子の紐（５）と一致している場合は、ずれの無い理想的な顔（Ｆ）といえる。
【産業上の利用可能性】
【００１６】
この考案は、人間の顔（Ｆ）の変形量が定量的に把握出来、且つ、自覚する事でメイクや顔のマッサージ、普段の癖の意識付け等によりバランスのとれた顔に出来る事から、男女問わず、大人から子供に至るまで広範囲に寄与する点で、産業上の利用可能性を有する。
【図面の簡単な説明】
【００１７】
【図１】この考案の一実施例を示し、正面図である。
【図２】この考案の一実施例を示し、本来あるべき顔の中心線と実際の顔の中心線（顔の傾き度合）の関係を表した正面図である。
【図３】この考案の使用例を示し、顔にずれが生じている場合の正面図である。
【図４】この考案の使用例を示し、ずれの無い理想的な顔の場合の正面図である。
【符号の説明】
【００１８】
１  手鏡
１ａ  鏡
１ｂ  取手
２  縦線
３  横線
３ａ  細線又は破線
３ｂ  太線
４  固着部
５  紐
６  錘
Ｆ  顔
Ｌ  所定長さ
Ｐ  所定間隔
【図１】
0003100676.tif 000003
【図２】
0003100676.tif 000004
【図３】
0003100676.tif 000005
【図４】
0003100676.tif 000006
(57)【要約】
【課題】例えば、酒ビン内の酒の残量をほぼ正確に外部から測定でき、棚卸し効率の向上を図る簡便構造の内蔵量測定具を提供する。
【解決手段】細長の棒体である内蔵量測定具１はその表裏面に容器の残量に対応する目盛線３が刻印されている。この内蔵量測定具を酒ビン２の外部に長手方向に沿って配置することにより、残量をほぼ正確に、かつ簡単に測定できる。
【選択図】図１
0003100672.tif 000002
【実用新案登録請求の範囲】
【請求項１】
液体を内蔵する透明又は半透明のビン型容器の内蔵量を測定する簡便な内蔵量測定具であって、該内蔵量測定具は、前記ピン型容器の全高よりも長寸の棒体からなり、該棒体には前記ビン型容器の内蔵量に対応するメートル法及び／又は度量法の目盛線が刻設されることを特徴とする内蔵量測定具。
【考案の詳細な説明】
【技術分野】
【０００１】
本考案は、例えば、食堂，レストランや酒場及びスナック等において、空にならないで保管されている酒や醤油や酢等の残量を簡単に測定でき、棚卸しの正確性を確保するようにした内蔵量測定具に関する。
【背景技術】
【０００２】
例えば、レストランやスナック等において、酒や醤油や酢等はビールやジュース等とは異なり残量のある状態で保管され、後日の使用に供する場合が殆どである。一方、レストラン等においては定期的に棚卸しが行われるが、この場合、前記の残量保管の必要な飲物についてはその残量を正確に知ることが必要である。しかしながら、一般のレストラン等においては目視により目分量であり、正確な残量を測定することができなかった。一方、容器内の液体の残量を測定又は検出する手段としては従来より各種のものがあり、例えば、「特許文献１」，「特許文献２」，「特許文献３」が挙げられる。
【特許文献１】特開平９−２６２９９０
【特許文献２】実開平５−１９９２１
【特許文献３】特開２００３−７２４４９
【考案の開示】
【考案が解決しようとする課題】
【０００３】
「特許文献１」の特開平９−２６２９９０号の「残量検出装置」はタンク内に一対の電極を入れ、この電極の電極差を測定して残量を検出するものである。また、「特許文献２」の実開平５−１９９２１号の「液量指示装置」はフロートを用いてこれをレーザ光により位置検出するものである。また、「特許文献３」の特開２００３−７２４４９号の「ドリンクホルダー」は容器の外部にスプリング状の測定具を配置し、その伸長量によって残量を測定するものである。
【０００４】
前記の公知技術はいずれも技術的に高度のものであり、「特許文献３」以外のものは容器内に測定部材を入れる必要があり、飲物に対しては不適当である。「特許文献３」は外部から容器内の残量を測定するものであるが、装置構造が複雑であり、一般の飲物屋やレストラン等には不向きなものである。よって、極めて簡便な手段で外部より容器内の飲み物の残量を測定できる測定具が要請される。
【０００５】
本考案は、以上の要請に基づき考案されたものであり、一定の大きさの瓶（一升ビン）に収納されている飲物等の残量を比較的正確に測定でき、数多くの容器の内蔵量測定が短時間ででき棚卸しの効率化が図れる簡便構造の内蔵量測定具を提供することを目的とする。
【課題を解決するための手段】
【０００６】
本考案は、以上の目的を達成するために、請求項１の考案は、液体を内蔵する透明又は半透明のビン型容器の内蔵量を測定する簡便な内蔵量測定具であって、該内蔵量測定具は、前記ピン型容器の全高よりも長寸の棒体からなり、該棒体には前記ビン型容器の内蔵量に対応するメートル法及び／又は度量法の目盛線が刻設されることを特徴とする。
【考案の効果】
【０００７】
本考案の内蔵量測定具によれば、この測定具を容器の縦方向に沿って近接して配置することにより、残量を簡単に測定することができる。なお、容器には各種のものがあるが、この内蔵量測定具はその容器の形状に合わせて目盛線を予め刻印すればよい。特に、酒や醤油や酢等については瓶の形態は一定であり、一本の測定具ですべての酒等の残量を求めることが容易にできる。
【考案を実施するための最良の形態】
【０００８】
以下、本考案の内蔵量測定具の実施の形態を図面を参照して詳述する。本考案の内蔵量測定具は、例えば、図１に示すような物差しのような細長の棒体１からなる。この棒体１の表面及び／又は裏面には図示のように目盛線３が刻印されている。即ち、酒一升に相当する目盛線３が一番上に刻印され、その下方に９合，８合・・・１合に相当する目盛線３が刻印されている内蔵量が７合に相当する所までは酒ビン２の形状は一定であり、前記目盛線３はほぼ等間隔に形成されているが、７合より一升までの目盛線３は酒ビン２の形状が序々に変化するため、不等間隔に形成される。酒ビン１２には新品では必ず一升注入されており、一升の目盛線３以上の目盛線３は不要である。また、目盛線３は内蔵量測定具の表裏に刻印され、その刻印の単位はメートル又は度量単位等のものが適宜用いられる。
【０００９】
次に、この内蔵量測定具の使用方法を説明する。まず、図１に示すように酒ビン２の側面にその長手方向に沿って内蔵量測定具を立てる。酒ビン２内の残量に対応する位置における内蔵量測定具の目盛線３を目視で読みとることにより、残量をほぼ正確に測定することができる。
【００１０】
図２は棚卸し時の様子を示すものである。多数の酒ビン（図示では６本の酒ビン２）が並べられており、夫々の酒ビン２に対して内蔵量測定具を係合させることによって残量が測定される。図示では１本目が９合、２本目が５合、３本目が６合、４本目が９合、５本目が２合、６本目が１合と測定され、全体で３２合の残量があると測定される。６本の酒ビン２の新品時の内蔵量は６０合のため、残量は約５３％となり、ほぼ正確な残量を測定することができる。
【００１１】
前記実施例は酒ビン２についての内蔵量測定具及びその測定方法を説明したが、それ以外の一定の大きさの容器に対しても同様に適用される。
【産業上の利用可能性】
【００１２】
本考案は、飲物の残量の測定を必要とする飲物店において便利に利用されると共に、飲物でなく液体の簡便な残量測定に対しても利用することができ、利用範囲は極めて広い、また、内蔵量測定具の素材を木やプラスチックにすることにより軽量となり、取扱性の向上が図れる。勿論、安価に製作することができる。
【図面の簡単な説明】
【００１３】
【図１】本考案の内蔵量測定具及び内蔵量測定具によって残量測定される容器を示す正面図（ａ）及び内蔵量測定具のＡ−Ａ線断面図（ｂ）。
【図２】本考案の内蔵量測定具を用いた棚卸し状態を示す模式図。
【符号の説明】
【００１４】
１  内蔵量測定具
２  酒ビン
３  目盛線
【図１】
0003100672.tif 000003
【図２】
0003100672.tif 000004